(57)【要約】【課題】ユーザの心の健康維持を十分に推進するための技術を提供する。【解決手段】ユーザの状態に応じたコンテンツと、前記コンテンツに対応する磁界パターンとを選択する選択部と、前記コンテンツを出力するコンテンツ出力部と、前記磁界パターンに基づいて磁界を発生させる磁界発生部と、を備える、コンテンツ出力装置が提供される。【選択図】図１
2014020960.tif 000002
【特許請求の範囲】
【請求項１】
ユーザの状態に応じたコンテンツと、前記コンテンツに対応する磁界パターンとを選択する選択部と、
前記コンテンツを出力するコンテンツ出力部と、
前記磁界パターンに基づいて磁界を発生させる磁界発生部と、
を備える、コンテンツ出力装置。
【請求項２】
前記コンテンツ出力装置は、前記ユーザの状態を検知する検知部をさらに備え、
前記選択部は、前記検知部により検知された前記ユーザの状態に応じたコンテンツと前記コンテンツに対応する磁界パターンとを選択する、
請求項１に記載のコンテンツ出力装置。
【請求項３】
前記検知部は、前記ユーザの状態として前記ユーザの生体的状態を検知する、
請求項２に記載のコンテンツ出力装置。
【請求項４】
前記検知部は、前記ユーザの状態として前記ユーザの存在する時間帯を検知する、
請求項２に記載のコンテンツ出力装置。
【請求項５】
前記検知部は、前記ユーザの状態として前記ユーザからの操作情報を検知する、
請求項２に記載のコンテンツ出力装置。
【請求項６】
前記コンテンツ出力装置は、前記ユーザの頭部に装着され、
前記磁界発生部は、前記ユーザの頭部に前記磁界を作用させる、
請求項１に記載のコンテンツ出力装置。
【請求項７】
ユーザの状態に応じたコンテンツと、前記コンテンツに対応する磁界パターンとを選択することと、
前記コンテンツを出力することと、
前記磁界パターンに基づいて磁界を発生させることと、
を含む、コンテンツ出力方法。
【請求項８】
ユーザの状態に応じたコンテンツと、前記コンテンツに対応する磁界パターンとを選択する選択部と、
前記コンテンツが出力されるように制御するコンテンツ制御部と、
前記磁界パターンに基づいて磁界が発生されるように制御する磁界制御部と、
を備える、制御装置。
【請求項９】
ユーザの状態に応じたコンテンツと、前記コンテンツに対応する磁界パターンとを選択することと、
前記コンテンツが出力されるように制御することと、
前記磁界パターンに基づいて磁界が発生されるように制御することと、
を含む、制御方法。
【発明の詳細な説明】
【技術分野】
【０００１】
本開示は、コンテンツ出力装置、コンテンツ出力方法、制御装置および制御方法に関する。
【背景技術】
【０００２】
近年、オーディオプレーヤ、スマートフォンなどの携帯端末の普及に伴い、ユーザが音楽や動画などの様々なコンテンツを携帯端末により容易に再生して楽しむことが可能になっている。一方、コンテンツの提供者の増加とともにユーザに提供され得るコンテンツの種類も増加してきており、ユーザが大量のコンテンツの中から所望のコンテンツを検索する作業も煩雑になっている。【０００３】
そこで、例えば、検知されたユーザの生体情報に基づいてコンテンツを選択する技術が開示されている（例えば、特許文献１参照）。かかる技術によれば、ユーザが大量のコンテンツから所望のコンテンツを検索する手間を低減させつつ、ユーザの状態に基づいたコンテンツが選択され、選択されたコンテンツがユーザに提供され得る。
【先行技術文献】
【特許文献】
【０００４】
【特許文献１】特開２００４−１４６６３０号公報
【発明の概要】
【発明が解決しようとする課題】
【０００５】
しかしながら、かかる技術では、ユーザの状態に応じたコンテンツが選択されたとしても、ユーザの状態に応じたコンテンツをユーザに提供するだけではユーザの心の健康維持を十分に推進することはできない。したがって、ユーザの心の健康維持を十分に推進するための技術が実現されることが望ましい。
【課題を解決するための手段】
【０００６】
本開示によれば、ユーザの状態に応じたコンテンツと、前記コンテンツに対応する磁界パターンとを選択する選択部と、前記コンテンツを出力するコンテンツ出力部と、前記磁界パターンに基づいて磁界を発生させる磁界発生部と、を備える、コンテンツ出力装置が提供される。【０００７】
また、本開示によれば、ユーザの状態に応じたコンテンツと、前記コンテンツに対応する磁界パターンとを選択することと、前記コンテンツを出力することと、前記磁界パターンに基づいて磁界を発生させることと、を含む、コンテンツ出力方法が提供される。【０００８】
また、本開示によれば、ユーザの状態に応じたコンテンツと、前記コンテンツに対応する磁界パターンとを選択する選択部と、前記コンテンツが出力されるように制御するコンテンツ制御部と、前記磁界パターンに基づいて磁界が発生されるように制御する磁界制御部と、を備える、制御装置が提供される。【０００９】
また、本開示によれば、ユーザの状態に応じたコンテンツと、前記コンテンツに対応する磁界パターンとを選択することと、前記コンテンツが出力されるように制御することと、前記磁界パターンに基づいて磁界が発生されるように制御することと、を含む、制御方法が提供される。
【発明の効果】
【００１０】
以上説明したように本開示によれば、ユーザの心の健康維持を十分に推進するための技術を提供することが可能である。
【図面の簡単な説明】
【００１１】
【図１】本開示の実施形態に係るコンテンツ出力装置の外観例を示す図である。
【図２】本開示の実施形態に係るコンテンツ出力装置の機能構成例を示す図である。
【図３】本開示の実施形態に係る制御部の機能構成例を示す図である。
【図４】本開示の実施形態に係るコンテンツ出力装置により使用される設定情報の構成例を示す図である。
【図５】本開示の実施形態に係るコンテンツ出力装置により使用される設定情報の構成例を示す図である。
【図６】本開示の実施形態に係るコンテンツ出力装置により使用される設定情報の構成例を示す図である。
【図７】本開示の実施形態に係るコンテンツ出力装置の動作例を示す図である。
【発明を実施するための形態】
【００１２】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１３】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１４】
また、以下に示す項目順序に従って当該「発明を実施するための形態」を説明する。
１．コンテンツ出力装置の外観例
２．コンテンツ出力装置の機能構成例
３．コンテンツ出力装置の動作例
４．むすび
【００１５】
＜＜１．コンテンツ出力装置の外観例＞＞
まず、本開示の実施形態に係るコンテンツ出力装置１０の外観例について説明する。図１は、本開示の実施形態に係るコンテンツ出力装置１０の外観例を示す図である。図１に示したように、本明細書では、コンテンツ出力装置１０がヘッドバンド型のヘッドホンであり、コンテンツは音声データである場合を想定するが、ヘッドホンのタイプはかかる例に限定されない。例えば、ヘッドホンのタイプは、ヘッドバンド型以外のタイプ（例えば、ネックバンド型、耳かけ型など）であってもよい。
【００１６】
コンテンツ出力装置１０がヘッドバンド型のヘッドホンである場合、図１に示したように、コンテンツ出力装置１０は、コンテンツ出力部１４０Ａ、１４０Ｂ、磁界発生部１５０、固定部１６１Ａ、１６１Ｂおよびバンド部１６２を備える。ユーザは、バンド部１６２を自身の頭部に固定させるようにしてコンテンツ出力装置１０を頭部に装着し、コンテンツ再生操作を行うと、コンテンツが再生されて得られる音声をコンテンツ出力部１４０Ａ、１４０Ｂから聴くことができる。
【００１７】
ユーザに対してコンテンツを出力することによってユーザの心の健康維持を推進することができる。しかし、コンテンツの出力だけではユーザの心の健康維持が十分に推進されるとは限らない。
【００１８】
一方、例えば、文献Ａ（“元気・やる気”がリハビリテーションによる運動機能回復と関連することを脳科学的に証明  ｈｔｔｐ：／／ｗｗｗ．ｊｓｔ．ｇｏ．ｊｐ／ｐｒ／ａｎｎｏｕｎｃｅ／２０１１０９２９／ｉｎｄｅｘ．ｈｔｍｌ）により開示されているように、情動を司る脳の神経回路である大脳辺縁系の働きを活発にすることで、運動機能回復を効果的に進めることができる旨の知見が得られている。
【００１９】
また、例えば、文献Ｂ（ＮＨＫスペシャル「うつ病最新治療光トポグラフィー検査経頭蓋磁気刺激ＴＭＳ脳深部刺激ＤＢＳ認知行動療法ＤＬＰＦＣへんとう体２５野双極性障害統合失調症芹香病院」詳細情報  ｈｔｔｐ：／／ｔｏｐｉｃｓｎｏｗ．ｂｌｏｇ７２．ｆｃ２．ｃｏｍ／ｂｌｏｇ−ｅｎｔｒｙ−４１０３．ｈｔｍｌ）により開示されているように、脳への磁気刺激がうつ病治療に有効である旨の知見が得られている。
【００２０】
また、例えば、文献Ｃ（連続磁気刺激（ｒＴＭＳ），脳深部刺激（ＤＢＳ）の作用機序に関する研究  ｈｔｔｐ：／／ｋａｋｅｎ．ｎｉｉ．ａｃ．ｊｐ／ｄ／ｐ／１４５８０７６４）により開示されているように、運動野への連続磁気刺激（ｒＴＭＳ：ｒｅｐｅｔｉｔｉｖｅ  ｔｒａｎｓｃｒａｎｉａｌ  ｍａｇｎｅｔｉｃ  ｓｔｉｍｕｌａｔｉｏｎ）によるドーパミン代謝の上昇が、うつ病などの治療に有効である旨の知見が得られている。
【００２１】
そこで、本実施形態では、コンテンツをユーザに出力するとともに、ユーザの脳への磁気刺激を行うことにより、ユーザの心の健康維持を十分に推進することを提案する。
【００２２】
具体的には、コンテンツ出力装置１０が有する磁界発生部１５０は、例えば、固定部１６１Ａ、１６１Ｂにより固定され、コイルを内部に有しており、当該コイルに電流を流すことにより周囲に磁界を発生させることが可能である。磁界発生部１５０により発生された磁界は、ユーザの頭部に作用させることが可能である。すなわち、ユーザの脳に対して磁気刺激が与えられ得る。磁界発生部１５０には、固定部１６１Ａ、１６１Ｂを介して給電を行うことが可能であってもよい。
【００２３】
例えば、図１に示したように、磁界発生部１５０は、固定部１６１Ａ、１６１Ｂの上を移動可能にされており（例えば、図１に示したｘ１方向またはｙ１方向に移動可能にされており）、ユーザの頭部の左右方向に調整されてもよい。また、例えば、図１に示したように、磁界発生部１５０は、固定部１６１Ａ、１６１Ｂとともに回転可能にされており（例えば、図１に示したｘ２方向またはｙ２方向に回転可能にされており）、ユーザの頭部の前後方向に調整されてもよい。
【００２４】
このように、磁界発生部１５０の位置の調整によって、ユーザの脳内の特定の部位（例えば、運動野、大脳辺縁系、外側前頭前野など）に対する磁気刺激の強度を変化させたり、左右脳のいずれかに対する磁気刺激の強度を変化させたりすることができる。磁界発生部１５０の位置の調整は、ユーザの手動により行われてもよいし、コンテンツ出力装置１０により自動で行われてもよい。磁気刺激の強度は特に限定されないが、例えば、文献Ｅにより開示されているように、５Ｈｚ以上の高頻度磁気刺激であってもよい。
【００２５】
なお、磁界発生部１５０による磁界発生は、どのような手法によりなされてもよい。例えば、文献Ｄ（特開２００９−２２６６０号公報）により開示されているような経頭蓋磁気刺激法（ＴＭＳ：ｔｒａｎｓｃｒａｎｉａｌ  ｍａｇｎｅｔｉｃ  ｓｔｉｍｕｌａｔｉｏｎ）によりなされてもよい。この文献Ｄにおいて説明されているように、ＴＭＳは、頭皮上に置いたコイル（例えば、８の字コイル）に電流を流すことにより磁界を発生させ、その誘導電流が脳内に発生することで、磁気刺激部位の神経機能を一時的に興奮あるいは抑制させる手法である。
【００２６】
また、例えば、文献Ｅ（ミユキ技研ＷｅｂセミナーＶｏｌ．４  研究のための磁気刺激テクニカルノート  ｈｔｔｐ：／／ｗｗｗ．ｍｉｙｕｋｉ−ｎｅｔ．ｃｏ．ｊｐ／ｊｐ／ｓｅｍｉｎａｒ／ｍｓＴｅｃｈｎｉｃａｌＮｏｔｅ／ｍｓＴｅｃｈｎｉｃａｌＮｏｔｅ．ｓｈｔｍｌ）により開示されているような各種の刺激方法により、磁界発生部１５０による磁界発生がなされてもよい。
【００２７】
また、コンテンツ出力装置１０は、ヘッドホン以外であってもよい。例えば、コンテンツ出力装置１０は、ＨＭＤ（Ｈｅａｄ  Ｍｏｕｎｔｅｄ  Ｄｉｓｐｌａｙ）であり、コンテンツは映像データであってもよい。その場合、ユーザは、コンテンツ出力装置１０を頭部に装着し、コンテンツ再生操作を行うと、コンテンツが再生されて得られる映像をコンテンツ出力部１４０Ａ、１４０Ｂから閲覧することができる。
【００２８】
以上、本開示の実施形態に係るコンテンツ出力装置１０の外観例について説明した。
【００２９】
＜＜２．コンテンツ出力装置の機能構成例＞＞
続いて、本開示の実施形態に係るコンテンツ出力装置１０の機能構成例について説明する。図２は、本開示の実施形態に係るコンテンツ出力装置１０の機能構成例を示す図である。図２に示したように、コンテンツ出力装置１０は、制御部１１０、検知部１２０、記憶部１３０、コンテンツ出力部１４０および磁界発生部１５０を備える。
【００３０】
制御部１１０は、例えば、ＣＰＵ（Ｃｅｎｔｒａｌ  Ｐｒｏｃｅｓｓｉｎｇ  Ｕｎｉｔ）などのプロセッサに相当する。制御部１１０は、記憶部１３０または他の記憶媒体に記憶されるプログラムを実行することにより、制御部１１０が有する様々な機能を発揮する。制御部１１０は、制御装置として機能し得る。
【００３１】
検知部１２０は、ユーザの状態を検知する機能を有する。また、検知部１２０は、検知したユーザの状態を制御部１１０に出力する。ユーザの状態は、制御部１１０によって、例えば、コンテンツの選択に用いられる。なお、図２に示した例では、検知部１２０はコンテンツ出力装置１０と一体化されているが、検知部１２０はコンテンツ出力装置１０と別体に構成されていてもよい。検知部１２０の機能の詳細については後に説明する。
【００３２】
記憶部１３０は、半導体メモリまたはハードディスクなどの記憶媒体を用いて、制御部１１０を動作させるためのプログラムを記憶する。また、例えば、記憶部１３０は、プログラムによって使用される各種のデータ（例えば、設定情報、コンテンツなど）を記憶することもできる。これらのデータの詳細については後に説明する。なお、図２に示した例では、記憶部１３０はコンテンツ出力装置１０と一体化されているが、記憶部１３０はコンテンツ出力装置１０と別体に構成されていてもよい。
【００３３】
コンテンツ出力部１４０は、コンテンツを出力する機能を有する。例えば、コンテンツ出力部１４０は、制御部１１０による制御に従って、コンテンツを出力する。上記したように、例えば、コンテンツ出力装置１０がヘッドホンであり、コンテンツが音声データである場合には、コンテンツ出力部１４０は、コンテンツが再生されて得られた音声を出力する音声出力装置であってもよい。また、例えば、コンテンツ出力装置１０がＨＭＤであり、コンテンツが映像データである場合には、コンテンツ出力部１４０は、コンテンツが再生されて得られた映像を出力するディスプレイであってもよい。
【００３４】
磁界発生部１５０は、磁界を発生させる機能を有する。例えば、磁界発生部１５０は、制御部１１０による制御に従って、磁界を発生させる。上記したように、磁界発生部１５０は、例えば、コイルを内部に有しており、当該コイルに電流を流すことにより周囲に磁界を発生させることが可能である。磁界発生部１５０により発生された磁界は、ユーザの頭部に作用させることが可能である。磁界発生部１５０により発生される磁界の強度、周波数、位置、磁界が発せられる期間などは、制御部１１０により制御され得る。
【００３５】
上記したように、本実施形態では、コンテンツをユーザに出力するとともに、ユーザの脳への磁気刺激を行うことにより、ユーザの心の健康維持を十分に推進する。以下では、ユーザへのコンテンツの出力とユーザの脳への磁気刺激との組み合わせのバリエーションを主に説明し、より効果的にユーザの心の健康維持を推進する手法を提案する。
【００３６】
図３は、本開示の実施形態に係る制御部１１０の機能構成例を示す図である。図３に示すように、制御部１１０は、選択部１１１、コンテンツ制御部１１２および磁界制御部１１３を備える。選択部１１１、コンテンツ制御部１１２および磁界制御部１１３のそれぞれの機能の詳細については後に説明する。
【００３７】
図４は、本開示の実施形態に係るコンテンツ出力装置１０により使用される設定情報の構成例を示す図である。図４に示した例においては、設定情報は、ユーザの存在する時間帯とコンテンツの特徴とが対応付けられ、コンテンツの特徴と磁気刺激部位とが対応付けられてなる。しかし、ユーザの存在する時間帯は、ユーザの状態の一例であり、磁気刺激部位は、磁界の位置に相当し、磁界パターンの一例に過ぎない。
【００３８】
すなわち、設定情報は、ユーザの状態とコンテンツの特徴と磁界パターンとが対応付けられてなる情報である。磁界パターンとしては、磁気刺激部位の代わりに、磁界の強度が用いられてもよいし、磁界の周波数が用いられてもよいし、磁界が発せられる期間であってもよい。設定情報は、例えば、記憶部１３０によりあらかじめ記憶されており、制御部１１０により必要に応じて取得されてもよい。また、記憶部１３０により記憶されている設定情報は、適宜更新されるようになされていてもよい。
【００３９】
図４に示された設定情報では、ユーザの存在する時間帯は、「朝」、「昼」、「夜」として示されているが、各時間帯の区分けの仕方は、特に限定されない。例えば、時刻により各時間帯が区切られていてもよい。また、コンテンツの特徴は、「さわやか／明るい」、「元気／スピーディ／エネルギッシュ」、「リラックス／優雅」として示されているが、コンテンツの特徴の種類は、図４に示された例に限定されない。コンテンツの特徴は、例えば、コンテンツの特徴量の解析結果として得られる。
【００４０】
また、図４では、磁気刺激部位は、「運動野」、「大脳辺縁系」、「外側前頭前野」として示されているが、磁気刺激部位の種類は、図４に示された例に限定されない。例えば、文献Ｅにより開示されているように、「外側前頭前野」に対して磁気刺激を与えることが、うつ病治療や、不安、恐怖、悲しみなどの感情の抑制に役立つことが知られているため、コンテンツの特徴「リラックス／優雅」に対して、磁気刺激部位「外側前頭前野」を対応付けることが有用であると想定される。これにより、より効果的にユーザの心の健康維持を推進することが可能になることが予測される。
【００４１】
このように、本実施形態においては、ユーザの状態とコンテンツの特徴と磁界パターンとを対応付けておく。また、ユーザの状態に対応する特徴を有するコンテンツをユーザに提供するとともに、当該コンテンツの特徴に対応する磁界パターンに基づいて磁界を発生させてユーザの頭部に磁界を作用させることにより、より効果的にユーザの心の健康維持を推進することが可能となる。コンテンツの特徴と磁界パターンとの対応付けは、本実施形態の適用時点おいて得られている知見に基づいて適宜に追加または変更することが可能である。
【００４２】
具体的には、まず、選択部１１１は、ユーザの状態に応じたコンテンツと当該コンテンツに対応する磁界パターンとを選択する。例えば、選択部１１１は、ユーザの状態に対応するコンテンツの特徴と当該コンテンツの特徴に対応する磁界パターンとを選択する。続いて、コンテンツ制御部１１２は、選択部１１１により選択されたコンテンツがコンテンツ出力部１４０から出力されるようにコンテンツ出力部１４０を制御する。
【００４３】
コンテンツ出力部１４０から出力されるコンテンツは、再生されたコンテンツであるが、コンテンツの再生は、コンテンツ制御部１１２によりなされてもよいし、コンテンツ出力装置１０の外部の装置においてなされてもよい。コンテンツ出力部１４０は、コンテンツ制御部１１２による制御に従ってコンテンツを出力する。
【００４４】
一方、磁界制御部１１３は、選択部１１１により選択された磁界パターンに基づいた磁界が磁界発生部１５０により発生されるように磁界発生部１５０を制御する。磁界発生部１５０は、磁界制御部１１３による制御に従って磁界を発生させる。上記したように、磁界パターンは、磁界の強度、周波数、位置、磁界が発せられる期間などに相当する。磁界発生部１５０は、発生させた磁界をユーザの頭部に作用させることができる。
【００４５】
ユーザの状態は、例えば、検知部１２０により検知され得る。ユーザの状態は特に限定されないが、例えば、ユーザの存在する時間帯であってもよい。すなわち、検知部１２０は、ユーザの状態としてユーザの存在する時間帯を検知してもよい。例えば、検知部１２０は、現在時刻が属する時間帯をユーザの存在する時間帯として検知してもよい。
【００４６】
例えば、図４に示した例において、検知部１２０によりユーザの存在する時間帯「夜」が検知された場合には、選択部１１１は、時間帯「夜」に対応するコンテンツの特徴「リラックス／優雅」を有するコンテンツを選択すればよい。また、選択部１１１は、当該コンテンツの特徴「リラックス／優雅」に対応する磁気刺激部位「外側前頭前野」を選択すればよい。
【００４７】
図５は、本開示の実施形態に係るコンテンツ出力装置１０により使用される設定情報の構成例を示す図である。図５に示した例においては、設定情報は、ユーザからの操作情報とコンテンツの特徴とが対応付けられ、コンテンツの特徴と磁気刺激部位とが対応付けられてなる。しかし、操作情報は、ユーザの状態の一例であり、磁気刺激部位は、磁界の位置に相当し、磁界パターンの一例に過ぎない。コンテンツの特徴および磁気刺激部位については、上記した通りである。
【００４８】
図５に示された設定情報では、操作情報は、「明るい気持ちになりたい」、「集中したい」、「落ち着きたい」として示されているが、操作情報の種類は、特に限定されない。例えば、操作情報がユーザの状態として用いられる場合、検知部１２０は、ユーザの状態として操作情報を検知すればよい。例えば、ユーザが「明るい気持ちになりたい」、「集中したい」、「落ち着きたい」などといった操作のいずれかを示す情報を操作情報として検知部１２０に入力することが可能とされている。
【００４９】
例えば、図５に示した例において、検知部１２０により操作情報「落ち着きたい」が検知された場合には、選択部１１１は、操作情報「落ち着きたい」に対応するコンテンツの特徴「リラックス／優雅」を有するコンテンツを選択すればよい。また、選択部１１１は、当該コンテンツの特徴「リラックス／優雅」に対応する磁気刺激部位「外側前頭前野」を選択すればよい。
【００５０】
図６は、本開示の実施形態に係るコンテンツ出力装置１０により使用される設定情報の構成例を示す図である。図６に示した例においては、設定情報は、ユーザの生体的状態とコンテンツの特徴とが対応付けられ、コンテンツの特徴と磁気刺激部位とが対応付けられてなる。しかし、生体的状態は、ユーザの状態の一例であり、磁気刺激部位は、磁界の位置に相当し、磁界パターンの一例に過ぎない。コンテンツの特徴および磁気刺激部位については、上記した通りである。
【００５１】
図６に示された設定情報では、生体的状態は、「不快」、「興奮」、「不安」として示されているが、生体的状態の種類は、特に限定されない。例えば、生体的状態がユーザの状態として用いられる場合、検知部１２０は、ユーザの状態として生体的状態を検知すればよい。生体的状態は、例えば、ユーザの脳波であってもよいし、ユーザの単位時間当たりの脈拍数であってもよいし、ユーザの体温であってもよいし、ユーザの血圧であってもよいし、ユーザの発汗量であってもよいし、その他の状態であってもよい。
【００５２】
ユーザの脳波の検知手法としては、様々な手法を採用することができる。例えば、上記した文献Ｄにより開示されているように、近年では機能的近赤外分光法（ｆＮＩＲＳ：ｆｕｎｃｔｉｏｎａｌ  ｎｅａｒ−ｉｎｆｒａｒｅｄ  ｓｐｅｃｔｒｏｓｃｏｐｙ）と呼ばれる無侵襲的脳機能計測法が確立されている。ｆＮＩＲＳは、近赤外光により組織の酸素化ヘモグロビンや脱酸素化ヘモグロビンの増減を体表（頭表）から光学的に計測する手法であり、被験者が運動している状態であっても計測可能な手法である。したがって、例えば、ユーザの脳波の検知手法としてｆＮＩＲＳを採用することができる。
【００５３】
例えば、図６に示した例において、検知部１２０により生体的状態「不安」が検知された場合には、選択部１１１は、生体的状態「不安」に対応するコンテンツの特徴「リラックス／優雅」を有するコンテンツを選択すればよい。また、選択部１１１は、当該コンテンツの特徴「リラックス／優雅」に対応する磁気刺激部位「外側前頭前野」を選択すればよい。
【００５４】
以上、本開示の実施形態に係るコンテンツ出力装置１０の機能構成例について説明した。
【００５５】
＜＜３．コンテンツ出力装置の動作例＞＞
続いて、本開示の実施形態に係るコンテンツ出力装置１０の動作例について説明する。図７は、本開示の実施形態に係るコンテンツ出力装置１０の動作例を示す図である。図７に示したように、まず、検知部１２０は、ユーザの状態を検知する（Ｓ１）。続いて、選択部１１１は、ユーザの状態に応じたコンテンツを選択し（Ｓ２）、当該コンテンツに対応する磁界パターンを選択する（Ｓ３）。
【００５６】
続いて、コンテンツ制御部１１２は、選択部１１１により選択されたコンテンツがコンテンツ出力部１４０により出力されるように制御し、コンテンツ出力部１４０は、コンテンツ制御部１１２による制御に従って、コンテンツを出力する（Ｓ４）。また、磁界制御部１１３は、選択部１１１により選択された磁界パターンに基づいて磁界が磁界発生部１５０により発生されるように制御し、磁界発生部１５０は、磁界制御部１１３による制御に従って、磁界を発生させる（Ｓ５）。
【００５７】
かかる動作例によれば、ユーザの状態に応じたコンテンツをユーザに出力するとともに、コンテンツに対応する磁気刺激をユーザの脳に与えることにより、ユーザの心の健康維持を十分に推進することが可能となる。
【００５８】
＜＜４．むすび＞＞
以上説明したように、本開示の実施形態によれば、ユーザの状態に応じたコンテンツとコンテンツに対応する磁界パターンとを選択する選択部１１１と、コンテンツを出力するコンテンツ出力部１４０と、磁界パターンに基づいて磁界を発生させる磁界発生部１５０と、を備える、コンテンツ出力装置１０を提供することが可能である。かかる構成によれば、ユーザの状態に応じたコンテンツをユーザに出力するとともに、コンテンツに対応する磁気刺激をユーザの脳に与えることにより、ユーザの心の健康維持を十分に推進することが可能となる。
【００５９】
また、本開示の実施形態によれば、ユーザの状態に応じたコンテンツとコンテンツに対応する磁界パターンとを選択する選択部１１１と、コンテンツが出力されるように制御するコンテンツ制御部１１２と、磁界パターンに基づいて磁界が発生されるように制御する磁界制御部１１３と、を備える、制御装置１１０も提供することが可能である。かかる構成によれば、ユーザの状態に応じたコンテンツをユーザに出力するように制御するとともに、コンテンツに対応する磁気刺激をユーザの脳に与えるように制御することにより、ユーザの心の健康維持を十分に推進することが可能となる。
【００６０】
また、本開示の実施形態によれば、例えば、現時点において日本国内に１００万人いると言われている「うつ病患者」を救うとともに、働き盛りの世代による労働力を回復することができ、大きな社会貢献を果たすことが期待できる。しかし、本開示の実施形態に係るコンテンツ出力装置１０は、「うつ病患者」以外のユーザにも利用され得ることは言うまでもない。
【００６１】
本開示の実施形態に係るコンテンツ出力装置１０は、「うつ病患者」であるか否かを問わず、あらゆるユーザにより利用され得る装置であり、ユーザの心の健康維持を十分に推進することが可能である。これにより、あらゆるユーザの前向きな感情がサポートされることが期待される。
【００６２】
さらに、本開示の実施形態に係るコンテンツ出力装置１０が多くのユーザに利用され、多くのユーザの心の健康維持を図ることにより、社会が活気づき、多くのユーザが「物質的な豊かさ」だけではなく、「精神的な豊かさ」を実感できるような時代に移行することが期待される。
【００６３】
なお、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００６４】
例えば、本明細書のコンテンツ出力装置１０の動作例における各ステップは、必ずしもフローチャートとして記載された順序に沿って時系列に処理する必要はない。例えば、コンテンツ出力装置１０の動作例における各ステップは、フローチャートとして記載した順序と異なる順序で処理されても、並列的に処理されてもよい。
【００６５】
また、コンピュータに内蔵されるＣＰＵ、ＲＯＭおよびＲＡＭなどのハードウェアを、上記した制御装置１１０が有する構成と同等の機能を発揮させるためのプログラムも作成可能である。また、該プログラムを記録した、コンピュータに読み取り可能な記録媒体も提供され得る。
【００６６】
なお、以下のような構成も本開示の技術的範囲に属する。
（１）
ユーザの状態に応じたコンテンツと、前記コンテンツに対応する磁界パターンとを選択する選択部と、
前記コンテンツを出力するコンテンツ出力部と、
前記磁界パターンに基づいて磁界を発生させる磁界発生部と、
を備える、コンテンツ出力装置。
（２）
前記コンテンツ出力装置は、前記ユーザの状態を検知する検知部をさらに備え、
前記選択部は、前記検知部により検知された前記ユーザの状態に応じたコンテンツと前記コンテンツに対応する磁界パターンとを選択する、
前記（１）に記載のコンテンツ出力装置。
（３）
前記検知部は、前記ユーザの状態として前記ユーザの生体的状態を検知する、
前記（２）に記載のコンテンツ出力装置。
（４）
前記検知部は、前記ユーザの状態として前記ユーザの存在する時間帯を検知する、
前記（２）に記載のコンテンツ出力装置。
（５）
前記検知部は、前記ユーザの状態として前記ユーザからの操作情報を検知する、
前記（２）に記載のコンテンツ出力装置。
（６）
前記コンテンツ出力装置は、前記ユーザの頭部に装着され、
前記磁界発生部は、前記ユーザの頭部に前記磁界を作用させる、
前記（１）〜（５）のいずれか一項に記載のコンテンツ出力装置。
（７）
ユーザの状態に応じたコンテンツと、前記コンテンツに対応する磁界パターンとを選択することと、
前記コンテンツを出力することと、
前記磁界パターンに基づいて磁界を発生させることと、
を含む、コンテンツ出力方法。
（８）
ユーザの状態に応じたコンテンツと、前記コンテンツに対応する磁界パターンとを選択する選択部と、
前記コンテンツが出力されるように制御するコンテンツ制御部と、
前記磁界パターンに基づいて磁界が発生されるように制御する磁界制御部と、
を備える、制御装置。
（９）
ユーザの状態に応じたコンテンツと、前記コンテンツに対応する磁界パターンとを選択することと、
前記コンテンツが出力されるように制御することと、
前記磁界パターンに基づいて磁界が発生されるように制御することと、
を含む、制御方法。
【符号の説明】
【００６７】
１０    コンテンツ出力装置
１１０  制御部
１１１  選択部
１１２  コンテンツ制御部
１１３  磁界制御部
１２０  検知部
１３０  記憶部
１４０（１４０Ａ、１４０Ｂ）  コンテンツ出力部
１５０  磁界発生部
１６１（１６１Ａ、１６１Ｂ）  固定部
１６２  バンド部
【図１】
2014020960.tif 000003
【図２】
2014020960.tif 000004
【図３】
2014020960.tif 000005
【図４】
2014020960.tif 000006
【図５】
2014020960.tif 000007
【図６】
2014020960.tif 000008
【図７】
2014020960.tif 000009
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
ユーザの状態に応じたコンテンツと、前記コンテンツに対応する磁界パターンとを選択する選択部と、
前記コンテンツを出力するコンテンツ出力部と、
前記磁界パターンに基づいて磁界を発生させる磁界発生部と、
を備える、コンテンツ出力装置。
【請求項２】
前記コンテンツ出力装置は、前記ユーザの状態を検知する検知部をさらに備え、
前記選択部は、前記検知部により検知された前記ユーザの状態に応じたコンテンツと前記コンテンツに対応する磁界パターンとを選択する、
請求項１に記載のコンテンツ出力装置。
【請求項３】
前記検知部は、前記ユーザの状態として前記ユーザの生体的状態を検知する、
請求項２に記載のコンテンツ出力装置。
【請求項４】
前記検知部は、前記ユーザの状態として前記ユーザの存在する時間帯を検知する、
請求項２に記載のコンテンツ出力装置。
【請求項５】
前記検知部は、前記ユーザの状態として前記ユーザからの操作情報を検知する、
請求項２に記載のコンテンツ出力装置。
【請求項６】
前記コンテンツ出力装置は、前記ユーザの頭部に装着され、
前記磁界発生部は、前記ユーザの頭部に前記磁界を作用させる、
請求項１〜５のいずれか一項に記載のコンテンツ出力装置。
【請求項７】
ユーザの状態に応じたコンテンツと、前記コンテンツに対応する磁界パターンとを選択することと、
前記コンテンツを出力することと、
前記磁界パターンに基づいて磁界を発生させることと、
を含む、コンテンツ出力方法。
【請求項８】
ユーザの状態に応じたコンテンツと、前記コンテンツに対応する磁界パターンとを選択する選択部と、
前記コンテンツが出力されるように制御するコンテンツ制御部と、
前記磁界パターンに基づいて磁界が発生されるように制御する磁界制御部と、
を備える、制御装置。
【請求項９】
ユーザの状態に応じたコンテンツと、前記コンテンツに対応する磁界パターンとを選択することと、
前記コンテンツが出力されるように制御することと、
前記磁界パターンに基づいて磁界が発生されるように制御することと、
を含む、制御方法。
【国際調査報告】
2014020960.tif 000010
2014020960.tif 000011